(57)【特許請求の範囲】
【請求項１】
複数枚のシートを積層させてなる体液吸収用当て材を包装シートとともに折り畳んでなる個別包装体をパッケージ内に複数収納した包装体であって、
前記パッケージの外形が直方体形状であり、
前記体液吸収用当て材は、前記包装シートが外面となるように前記包装シート側を折り山にして前記包装シートとともに折り畳まれており、
前記個別包装体は、折り山部が前記パッケージの主面を向くように前記パッケージ内に収納されており、
前記個別包装体は、前記体液吸収用当て材の最外層のシート又は包装シートに色が施されていることで１又は複数種の着色部を有しており、
前記パッケージは、色が施された背景領域を少なくとも１つ有し、
前記パッケージの外面の少なくとも前記主面における前記背景領域のうち、少なくとも最も面積の大きい主背景領域は、前記パッケージの外側から内側が透けて見え、かつ、前記主背景領域のみの単独色と、前記個別包装体の一部である前記折り山部の前記着色部の色が重なった状態の重複色とのＣＩＥ色差式による色差が６．００以下である包装体。
【請求項２】
前記着色部は、模様及び／又は文字を形成している請求項１に記載の包装体。
【請求項３】
前記着色部は、前記体液吸収用当て材の最外層のシート又は前記包装シートの背景色を形成している請求項１又は２に記載の包装体。
【請求項４】
前記パッケージは、外面に模様及び／又は文字が表示されており、
前記パッケージの外面の少なくとも前記主面において、前記パッケージの模様及び／又は文字の少なくとも一部は、該模様及び／又は文字の色と、前記個別包装体の前記折り山部の前記着色部の色が重なった状態の色とのＣＩＥ色差式による色差が６．００以下である請求項１〜３のいずれかに記載の包装体
【請求項５】
複数の前記個別包装体が、複数の小パッケージ内に小分け収納された状態で、前記パッケージ内に収納されている請求項１〜４のいずれかに記載の包装体。
【発明の詳細な説明】
【技術分野】
【０００１】
本発明は、生理用ナプキンやパンティライナー（おりものシート）など、下着に装着しておりものなどの体液を吸収する体液吸収用当て材の個別包装体を多数収納した包装体に関する。
【背景技術】
【０００２】
従来から、生理用ナプキン、パンティライナー（おりものシート）などの体液吸収用当て材は、包装シートとともに折り畳まれることで個別包装体（個包装）とされ、さらに、多数の体液吸収用当て材の個包装が段積みされた状態でパッケージに収納されることで、体液吸収用当て材の包装体として市販されている。
【０００３】
近年、体液吸収用当て材の個包装には、デザイン性を重視する観点から、例えば折り畳まれた際に外面側となる包装シートに、模様や文字などが施されているのが一般的である（例えば特許文献１を参照）。一方で、パッケージの表面には、従来から、商品の店頭陳列時に購買者の購買意欲を増進させるための広告・宣伝用の模様や商品説明用の文字など、購買者に向けた各種の表示が施されている。
【先行技術文献】
【特許文献】
【０００４】
【特許文献１】特開２０１３−２１５２６７号公報
【発明の概要】
【発明が解決しようとする課題】
【０００５】
従来の体液吸収用当て材の包装体では、パッケージの表面に透明の窓を有しており、窓から内部に収納された個包装の模様などが見えることで、デザイン性を向上させている。しかし、パッケージを視認した際に、窓以外の部分において、内部に収納された個包装の模様などが透けて外側から見えてしまうと、又は、この個包装の模様などがパッケージに施された各種の表示を邪魔すると、パッケージの見た目が悪くなってデザイン性が低下する、購買者がパッケージの各種の表示を視認し難くなる、などの問題が生じる。
【０００６】
本発明は、上記問題を解決するためになされたものであり、内部に収納された体液吸収用当て材の個別包装体に施された模様などが、パッケージの外面からは視認しにくい体液吸収用当て材の包装体を提供することを目的とする。
【課題を解決するための手段】
【０００７】
本発明の上記目的は、複数枚のシートを積層させてなる体液吸収用当て材を包装シートとともに前記包装シートが外面となるよう折り畳んでなる個別包装体をパッケージ内に複数収納した包装体であって、前記個別包装体は、前記体液吸収用当て材の最外層のシート又は包装シートに色が施されていることで１又は複数種の着色部を有しており、前記パッケージは、色が施された背景領域を少なくとも１つ有し、前記パッケージの外面の少なくとも一面における前記背景領域のうち、少なくとも最も面積の大きい主背景領域は、前記主背景領域のみの単独色と、前記個別包装体の一部の前記着色部の色が重なった状態の重複色とのＣＩＥ色差式による色差が６．００以下である包装体により達成される。なお、本発明において、「色が施されている」とは、無色透明以外のことを指し、印刷などによりシートやパッケージに色が施されている場合にはその印刷などされた色のことを指し、印刷などがない場合にはシートやパッケージ自体の色（下地の色）のことを指す。
【０００８】
上記構成の包装体において、前記着色部は、模様及び／又は文字を形成していることが好ましい。
【０００９】
また、前記着色部は、前記体液吸収用当て材の最外層のシート又は前記包装シートの背景色を形成していることがさらに好ましい。
【００１０】
また、前記パッケージの外形が直方体形状であり、前記パッケージの主面における前記主背景領域の前記単独色と前記重複色とのＣＩＥ色差式による色差が６．００以下であることがさらに好ましい。
【００１１】
また、前記個別包装体は、折り山部が前記主面を向くように前記パッケージ内に収納されており、前記パッケージの主面における前記主背景領域は、前記個別包装体の前記折り山部の前記着色部の色が重なった状態の前記重複色と前記単独色とのＣＩＥ色差式による色差が６．００以下であることがさらに好ましい。
【００１２】
また、前記パッケージは、外面に模様及び／又は文字が表示されており、前記パッケージの外面の少なくとも一面において、前記模様及び／又は文字の少なくとも一部は、前記模様及び／又は文字の色と、前記個別包装体の一部の前記着色部の色が重なった状態の色とのＣＩＥ色差式による色差が６．００以下であることがさらに好ましい。
【００１３】
また、複数の前記個別包装体が、複数の小パッケージ内に小分け収納された状態で、前記パッケージ内に収納されていることがさらに好ましい。
【発明の効果】
【００１４】
本発明によれば、内部に収納された体液吸収用当て材の個別包装体に施された模様などの着色部が、パッケージの外面からは視認しにくく、パッケージに施された背景領域や模様・文字などの各種の表示を邪魔しないので、パッケージの見た目が悪くなってデザイン性が低下したり、パッケージの各種の表示を視認し難くなることを防止できる。よって、商品の美的外観や商品価値が損なわれることを防止できる。
【図面の簡単な説明】
【００１５】
【図１】本発明の一実施形態に係る包装体の斜視図である。なお、図１においては、パッケージの外面に施された背景領域や模様、文字などは省略している。
【図２】パッケージの正面に施された背景領域や模様、文字の例を示す図である。
【図３】パッケージの上面に施された背景領域や模様、文字の例を示す図である。
【図４】包装シートが貼り付けられた状態の体液吸収用当て材の平面図である。
【図５】図４の底面図である。なお、図５においては、包装シートに施された着色部は省略している。
【図６】個別包装体の正面図である。
【図７】図６の背面図である。
【図８】図７のＡ−Ａ線に沿う拡大断面図である。
【図９】包装シートの底面図である。
【図１０】包装シートを折り畳んだ状態の平面図である。
【図１１】包装シートを折り畳んだ状態の底面図である。
【発明を実施するための形態】
【００１６】
以下、本発明の実施形態について添付図面を参照して説明する。図１は、本発明の一実施形態に係る包装体１についてその内部の体液吸収用当て材３の個別包装体（以下、単に「個包装」という。）２とともに模式的に示す斜視図である。本実施形態の包装体１は、パッケージ４内に複数の個包装２が上下に段積みされた状態で収納されており、かつ、段積みされた複数の個包装２が左右に２つ並列で収納されている。
【００１７】
体液吸収用当て材３は、図４及び図５に示すように、例えばパンティライナー（おりものシート）であり、装着部位である股間部に合わせて縦長状（本実施形態では平面視ヴィオロン状、つまり、ヴァイオリンのヴィオラのような形状）に形成されている。
【００１８】
体液吸収用当て材３は、肌と接触する液透過性の表面シート５と、下着に貼り付けられる液不透過性のバックシート６と、表面シート５及びバックシート６の間に挟まれた吸水性・液保持性の吸収シート７とを備えた３層構造のものであり、各シート５〜７は、通常この種の体液吸収用当て材３に用いられている素材を用いることができる。なお、体液吸収用当て材３は、必ずしも３層構造に限られず、例えば表面シート５と吸収シート７との間に、透液効果、拡散効果又は表面側への体液の逆戻りを止める効果を有するシートを設けるなど、４層以上の積層構造としてもよい。
【００１９】
各シート５〜７は、同じ大きさ及び形状であり、シート全体が接着剤などで互いに接合されている。また、体液吸収用当て材３の外周縁には、各シート５〜７同士を固定するための圧着部８が設けられている。この圧着部８は、例えば、熱と圧力をかけて凹凸を付ける熱圧着加工（エンボス加工）により形成され、圧着部８により各シート５〜７が圧迫されて強く接着されることで、各シート５〜７が外周縁において強く固定されている。
【００２０】
バックシート６には、下着に貼り付けるための粘着層９が設けられている。粘着層９は、粘着剤をバックシート６に塗布することなどにより設けられる。粘着剤としては、体液吸収用当て材３を下着に貼り付けることができるものであれば特に限定されず、例えば、水溶性の接着剤（例えばアクリル系水溶性接着剤）や非水溶性接着剤（例えばゴム系ホットメルト、オレフィン系ホットメルト）などの接着剤を挙げることができる。粘着層９は、バックシート６のほぼ全面を覆うように設けられていてもよいし、バックシート６を部分的に覆うように設けられていてもよく、本実施形態では、粘着層９は、ストライプ状に形成されている。
【００２１】
体液吸収用当て材３は、包装シート１０により個別包装された状態で、パッケージ４内に収納される。包装シート１０は、体液吸収用当て材３よりも外形がやや大きい平面視長方形状に形成されており、体液吸収用当て材３のバックシート６に、粘着層９を介して剥離可能に貼り付けられている。包装シート１０によりバックシート６の全面が覆われていることで、体液吸収用当て材３の使用時（下着への装着時）まで粘着層９が保護されている。包装シート１０は、例えば、プラスチックフィルムや不織布などの繊維製シート、紙などのシート材に剥離剤を塗布することで形成され、剥離剤側の面が粘着層９に貼着されている。
【００２２】
体液吸収用当て材３は、包装シート１０が外面となるように包装シート１０側を折り山にして、例えば折り目Ｌ１，Ｌ２に沿って長手方向に三つ折りされることで、図６〜図８に示すように、包装シート１０とともに折り畳まれて個包装２とされる。そして、個包装２は、その折り目Ｌ１，Ｌ２に沿って折り返されてできる折り山部１４Ａ，１４Ｂがそれぞれパッケージ４の正面４０及び背面４１を向くように、パッケージ４内に収納される。
【００２３】
個包装２は、外面側に１又は複数種の着色部１５を有している。本実施形態では、図９〜図１２に示すように、個包装２の外面となる包装シート１０に色が施されていることで着色部１５が形成されている。個包装２は、外面側に着色部１５を有していることで、デザイン性が向上するとともに、包装されている体液吸収用当て材３が外側から見えにくくなっている。
【００２４】
よって、着色部１５としては、デザイン性を重視する観点から、例えば符号１５Ａに示すように、模様及び／又は文字を形成していることが好ましく、この着色部１５Ａは、包装シート１０の全面又は一部に、所定の色で模様ないしは文字を描くことで形成される。なお、模様としては、絵や図形の他、ロゴやブランドマークなどを表示することができ、文字には記号などを含んでいてもよい。着色部１５Ａの色としては、特に限定されず、黄色や水色など様々な色であってよい。
【００２５】
また、着色部１５としては、内容物である体液吸収用当て材３を見えにくくする観点から、例えば符号１５Ｂに示すように、包装シート１０自体に所定の色を施すことにより、包装シート１０の背景色を着色部１５Ｂとすることもできる。なお、着色部１５Ｂの背景色は、包装シート１０のそもそもの下地の色であってもよいし、下地の色上に印刷などにより着色された色であってもよい。着色部１５Ｂの色としては、清潔感のある白色や乳白色が好ましいが、特に白色や乳白色に限定される必要はなく、例えば紫色などのその他の色であってもよい。
【００２６】
パッケージ４は、図１に示すように、複数の個包装２を収容する袋状のものであり、可撓性を有するシートから形成される。パッケージ４は、本実施形態においては、外形が直方体形状であり、外面として、正面４０、背面４１、上面４２、下面４３及び左右の側面４４，４５を備えている。なお、図１においては、パッケージ４の最も長さの長いＵＶ方向を左右方向（横幅方向）とし、複数の個包装２を積み重ねるＸＹ方向を上下方向とし、ＵＶ方向及びＸＹ方向と直交するＳＴ方向を前後方向（奥行き方向）としている。
【００２７】
本実施形態のパッケージ４は、パッケージ４の外面を構成する６つの面のうち、正面４０及び背面４１（特に正面４０）が最も面積の大きな面であり、主に商品の宣伝・広告・説明などに供される主面となっている。また、右側の側面４５には、図示は省略するが、例えばミシン目が形成されており、ミシン目を介して破断することで開封されて個包装２を取り出すことが可能となっている。また、左右の側面４４，４５には、その中央位置に持ち手４６が設けられている。
【００２８】
パッケージ４の外面には、図２や図３に示すように、商品名や会社名、商品の特徴、商品のタイプ名、商品の素材、内容量、使用方法、サイズなどの情報を示す文字（記号も含む）１１が印刷などにより表示されている、及び／又は、商品の広告・宣伝のためやデザイン性向上のための模様（絵や図形、ロゴ、ブランドマークなど）１２が表示されている。これらの文字１１や模様１２は、所定の色で着色されており、色としては、特に限定されるものではなく、様々な色であってよい。
【００２９】
また、パッケージ４の外面には、文字１１や模様１２の背景を構成する背景領域１３が少なくとも１つ設けられている。背景領域１３にはそれぞれ所定の色が施されており、本実施形態のパッケージ４では、外面のうち例えば主面である正面４０においては、図２に示すように、ある色が施された背景領域１３Ａと、背景領域１３Ａとは異なる色が施されたその他の背景領域１３Ｂとが設けられている。背景領域１３Ａは、パッケージ４の正面４０において、最も面積が大きい背景領域（以下、「主背景領域」ともいう。）であり、例えばその商品に対するデザインで基調となる色で着色されている。その他の背景領域１３Ｂの色としては、デザインの統一性の点から、主背景領域１３Ａの色と同系統あるいは近い系統の色であることが好ましいが、異なる系統の色であってもよい。なお、パッケージ４のもう一つの主面である背面４１についても、正面４０と同様に、模様１２及び又は文字１１に加え、１つ又は複数の背景領域１３が表示されており、背景領域１３のうち、主背景領域１３Ａについてはその商品に対するデザインで基調となる色で着色されていることが好ましく、その他の背景領域１３Ｂの色としては、主背景領域１３Ａの色と同系統あるいは近い系統の色であることが好ましいが、異なる系統の色であってもよい。
【００３０】
また、パッケージ４の外面のうち例えば上面４２においては、図３に示すように、ある色が施された背景領域１３が１つ設けられている。この背景領域１３は、パッケージ４の上面４２において当然に最も面積が大きい主背景領域１３Ａであり、この主背景領域１３Ａの色としては、デザインの統一性の点から、パッケージ４の主面４０の主背景領域１３Ａの色と同系統あるいは近い系統の色であることが好ましいが、異なる系統の色であってもよい。なお、パッケージ４の上面４２において、背景領域１３は複数設けられていてもよい。また、パッケージ４の外面のその他の面（下面４３及び両側面４４，４５）についても、上面４２と同様に、模様１２や文字１１の他、１つ又は複数の背景領域１３が表示されている。
【００３１】
また、背景領域１３の色と、模様１２や文字１１の色との関係では、文字１１の色については、文字１１がはっきりと認識できるように、文字１１が属する背景領域１３の色と異なる系統の色、あるいは、同系統あるいは近い系統の色であっても背景領域１３の色よりも濃い目の色であることが好ましい。一方、模様１２の色については、デザインの統一性の点から、模様１２が属する背景領域１３の色と同系統あるいは近い系統の色であることが好ましい。
【００３２】
上記構成の包装体１において、パッケージ４の外面の表示を視認した際に、内部に収納されている個包装２に施された着色部１５がパッケージ４の外面から透けて見えると、個包装２の着色部１５がパッケージ４の外面に施された表示と重なり、パッケージ４の見た目が悪くなってデザイン性が低下したり、各種の表示が視認し難くなって、強いては商品価値が低下する。そこで、本実施形態の包装体１では、パッケージ４の外面の少なくとも一面における背景領域１３のうち、少なくとも最も面積の大きい主背景領域１３Ａについては、主背景領域１３Ａ自体に施された色（「単独色」という。）と、パッケージ４の前記一面と対向する個包装２の一部の着色部１５の色が重なった状態の色（「重複色」という。）とのＣＩＥ色差式による色差ΔＥを６．００以下、好ましくは４．００以下、さらに好ましくは２．００以下とし、パッケージ４の外面を通して内部の個包装２の着色部１５が見えにくいように構成されている。
【００３３】
具体的に、主に商品の宣伝・広告・説明などに供されるパッケージ４の主面（正面４０及び背面４１）で説明すると、図２に示すように、主面における主背景領域１３Ａについて、当該主背景領域１３Ａ自体の色（単独色）と、パッケージ４の正面４０と対向する個包装２の折り山部１４Ａ，１４Ｂにおける着色部１５の色が重なった状態の色（重複色）とのＣＩＥ色差式による色差ΔＥが６．００以下、好ましくは４．００以下、さらに好ましくは２．００以下となっている。
【００３４】
ＣＩＥ色差式は、国際照明委員会（ＣＩＥ）の規定するＣＩＥＬＡＢ色空間での２つの色のべクトル間距離を表すものである。ＣＩＥＬＡＢ色空間の３つの座標Ｌ*、ａ*、ｂ*はＪＩＳ Ｚ  ８７８１−４に規定されており、Ｌ*は色の明度（いわゆる「白さ」）を表し、Ｌ*値は、色の明度を０〜１００の値で表し、０に近いほど暗く、１００に近いほど明るいことを示している。また、ａ*及びｂ*は色相と彩度を示す色度（いわゆる「色あい」）を表し、ａ*値は、色の赤緑位置を表し、正の数値は赤寄りの色を、負の数値は緑寄りの色を示す一方、ｂ*値は、色の黄青位置を表し、正の数値は黄寄りの色を、負の数値は青寄りの色を示している。Ｌ*、ａ*、ｂ*の各値は、ＸＹＺ表色系の三刺激値Ｘ，Ｙ，Ｚを用いて求められる。
【００３５】
ＣＩＥ色差式での色差ΔＥは、下記式（１）に示すように、２つの色のＬ*値の差（ΔＬ*）、ａ*値の差（Δａ*）及びｂ*値の差（Δｂ*）をそれぞれ二乗して加え、その平方根をとることで求めることができる。
【００３６】
ΔＥ＝［（ΔＬ*）２＋（Δａ*）２＋（Δｂ*）２］１／２    ・・・式（１）
【００３７】
色差ΔＥは、本実施形態では以下の方法で測定される。まず、基準色となるパッケージ４の一面の最も面積の大きい主背景領域１３Ａの色のＬａｂ値を、コニカミノルタ社製の色彩色差計「ＣＲ−３００」により測定する。測定機器の光源としてはパルスキセノンランプを用いており、ＪＩＳ  Ｚ８７２２定義の拡散照明垂直受光方式に準拠した設計となっている。また、測定する際には、標準白色校正板（Ｙ９２．５、ｘ０．３１３４、ｙ０．３１９５：Ｌａｂ表記では、Ｌ９７．０２、ａ０．０３、ｂ１．８４）で色差計の校正をした後に、パッケージ４の一面を標準白色校正板上に載置し、主背景領域１３Ａの一部の色（単独色）のＬａｂ値を測定して基準値を得る。次いで、標準白色校正板とパッケージ４の一面との間に包装シート１０を挟み込み、パッケージ４の一面の主背景領域１３Ａの色と包装シート１０の着色部１５の色とが重なった状態の色（重複色）のＬａｂ値を測定する。これにより得られるサンプル値と基準値との差が、基準値（単独色）に対する重複色の色差ΔＥとして算出される。
【００３８】
本実施形態の包装体１では、パッケージ４の主面の主背景領域１３Ａについて、主背景領域１３Ａ自体に施された色（単独色）と、個包装２の折り山部１４Ａ，１４Ｂにおける着色部１５の色が重なった状態の色（重複色）との色差ΔＥを少なくとも６．００以下の範囲とすることにより、パッケージ４の主面の主背景領域１３Ａに個包装２の折り山部１４Ａ，１４Ｂにおける着色部１５が重なっているとしても、着色部１５を主背景領域１３Ａに購買者が認識できない程度に同化させることができる。よって、購買者が、パッケージ４の主に商品の宣伝・広告・説明などに供される主面を視認した際に、最も面積の大きな主背景領域１３Ａを通して内部に収納された個包装２に施された着色部１５を認識することがないため、パッケージ４の見た目が悪くなってデザイン性が低下したり、パッケージ４の各種の表示を視認し難くなることがなく、商品の美的外観や商品価値が損なわれることを防止できる。
【００３９】
また、パッケージ４の主面の主背景領域１３Ａだけではなく、その他の背景領域１３Ｂについても、単独色と個包装２の折り山部１４Ａ，１４Ｂにおける着色部１５の色が重なった重複色との色差ΔＥを６．００以下の範囲とすることにより、さらに商品の美的外観や商品価値が損なわれることを防止できる。なお、その他の背景領域１３Ｂについては、必ずしも全ての背景領域１３Ｂについて、単独色と重複色との色差ΔＥを６．００以下とする必要はなく、パッケージ４の主面において目立つ位置にある、あるいは、面積が２番目ないしは３番目に大きい背景領域１３について、単独色と重複色との色差ΔＥを６．００以下としてもよい。
【００４０】
さらに、パッケージ４の主面の模様１２や文字１１についても、全部又は一部について、模様１２や文字１１自体が有する色と、個包装２の折り山部１４Ａ，１４Ｂの着色部１５が重なった状態の色との色差ΔＥを６．００以下の範囲とすることにより、さらに商品の美的外観や商品価値が損なわれることを防止できる。
【００４１】
なお、本実施形態の個包装２は、図６及び図７に示すように、折り山部１４Ａ，１４Ｂには着色部１５として包装シート１０の背景色である着色部１５Ｂしか施されておらず、模様１２や文字１１からなる着色部１５Ａは折り山部１４Ａ，１４Ｂには設けられていない。これにより、パッケージ４の主面には、個包装２に施された模様１２や文字１１（着色部１５Ａ）が透けて見えることがないので、個包装２の背景色（着色部１５Ｂ）だけについて、パッケージ４の主面の背景領域１３の色や必要に応じて模様１２、文字１１の色との間で色差ΔＥを調整すればよく、パッケージ４の主面に用いることができる色の選択肢を広げることができる。個包装２の折り山部１４Ａ，１４Ｂに、模様１２や文字１１からなる着色部１５Ａを設けないようにするためには、図９に示すように、個包装２の折り目Ｌ１，Ｌ２から折り目Ｌ１，Ｌ２とは直交する方向（長手方向）の両側にそれぞれ長さｄとして１０ｍｍの領域に対して、模様１２や文字１１からなる着色部１５Ａを設けないようにすればよい。なお、個包装２の折り山部１４Ａ，１４Ｂに、模様１２や文字１１からなる着色部１５Ａを設けてもよく、この場合には、個包装２の背景色（着色部１５Ｂ）だけでなく模様１２や文字１１（着色部１５Ａ）についても、パッケージ４の主面の背景領域１３の色や必要に応じて模様１２や文字１１の色との間で色差ΔＥを調整させることになる。
【００４２】
一方で、パッケージ４の上面４２や下面４３については、内部の個包装２の上面１６ないしは下面１７と対向する。個包装２の上面１６ないしは下面１７には、図１０や図１１に示すように、着色部１５として包装シート１０の背景色である着色部１５Ｂに加えて、模様１２や文字１１からなる着色部１５Ａも設けられている。よって、パッケージ４の上面４２や下面４３については、少なくとも最も面積の大きい主背景領域１３Ａに関して、主背景領域１３Ａ自体の色（単独色）と、個包装２の上面１６ないしは下面１７の着色部１５Ａ，１５Ｂの色が重なった状態の色（重複色）との色差ΔＥを少なくとも６．００以下の範囲とすることにより、商品の美的外観や商品価値が損なわれることを防止できる。なお、パッケージ４の上面４２や下面４３においても、パッケージ４の主面と同様に、その他の背景領域１３Ｂの色や必要に応じて模様１２や文字１１が有する色と、個包装２の上面１６ないしは下面１７における着色部１５Ａ，１５Ｂの色との間で色差ΔＥを調整することにより、さらに商品の美的外観や商品価値が損なわれることを防止できる。
【００４３】
また、パッケージ４の両側面４４，４５については、内部の個包装２の側縁１８と対向する。個包装２の側縁１８には着色部１５が存在しないので、パッケージ４の両側面４４，４５については、必ずしも背景領域１３の色や模様１２や文字１１が有する色と内部の個包装２の着色部１５の色との間で色差ΔＥを調整する必要はない。ただし、個包装２をパッケージ４内に収納した際に、個包装２の側縁１８が上下にめくれた状態で個包装２が収納されるおそれがある。その場合には、個包装２の上面１６ないしは下面１７の一部がパッケージ４の上面４２や下面４３と対向する。よって、パッケージ４の両側面４４，４５についても、少なくとも最も面積が大きい主背景領域１３Ａの色、必要に応じてその他の背景領域１３Ｂの色や模様１２、文字１１が有する色と、個包装２の上面１６ないしは下面１７における着色部１５Ａ，１５Ｂの色との間で色差ΔＥを調整することが好ましい。
【００４４】
なお、上述したパッケージ４の外面に用いられる色と、個包装２の外面に用いられる色との間で、ＣＩＥ色差式による色差ΔＥが６．００以下となる好ましい組み合わせとしては、パッケージ４の外面に用いられる色が白色である場合には、個包装２の外面に用いられる色として白色や水色などを例示することができる。また、パッケージ４の外面に用いられる色がピンク色である場合には、個包装２の外面に用いられる色として白色やピンク色などを例示することができる。また、パッケージ４の外面に用いられる色が黄色である場合には、個包装２の外面に用いられる色として白色や黄色、黄緑色などを例示することができる。また、パッケージ４の外面に用いられる色が紫色である場合には、個包装２の外面に用いられる色として白色や紫色、水色、桃色、などを例示することができる。また、パッケージ４の外面に用いられる色が青色である場合には、個包装２の外面に用いられる色として白色や青色、水色などを例示することができる。また、パッケージ４の外面に用いられる色が水色である場合には、個包装２の外面に用いられる色として白色や水色などを例示することができる。また、パッケージ４の外面に用いられる色が緑色である場合には、個包装２の外面に用いられる色として白色や緑色、黄色などを例示することができる。
【００４５】
以上のように、本実施形態の包装体１によれば、パッケージ４の少なくとも一面の最も面積の大きい主背景領域１３Ａについて、当該主背景領域１３Ａ自体の色（単独色）と、前記一面と対向する個包装２の一部の着色部１５の色が重なった状態の色（重複色）との色差ΔＥを少なくとも６．００以下の範囲とすることにより、パッケージ４の前記一面の主背景領域１３Ａに個包装２の一部における着色部１５が重なっているとしても、着色部１５を主背景領域１３Ａに購買者が認識できない程度に同化させることができる。よって、購買者が、パッケージ４の外面を視認した際に、最も面積の大きな主背景領域１３Ａを通して内部に収納された個包装２に施された着色部１５を認識することがないため、パッケージ４の見た目が悪くなってデザイン性が低下したり、パッケージ４の各種の表示を視認し難くなることがなく、商品の美的外観や商品価値が損なわれることを防止できる。なお、パッケージ４の前記一面が正面４０や背面４１の主面であれば、なおさら商品の美的外観や商品価値が損なわれることを防止できる。
【００４６】
また、パッケージ４の前記一面の主背景領域１３Ａの色だけではなく、その他の背景領域１３Ｂの色、さらには、模様１２や文字１１の色についても、個包装２の一部における着色部１５の色との間で色差ΔＥを調整することにより、さらに一層、商品の美的外観や商品価値が損なわれることを防止できる。
【００４７】
さらに、パッケージ４の一面だけでなく、その他の面についても、主背景領域１３Ａの色、必要に応じて、その他の背景領域１３Ｂの色、さらには模様１２や文字１１の色と、対向する個包装２の一部における着色部１５の色との間で色差ΔＥを調整することにより、なおさらに一層、商品の美的外観や商品価値が損なわれることを防止できる。
【００４８】
以上、本発明の一実施形態について説明したが、本発明は上記実施形態に限定されるものではなく、その趣旨を逸脱しない限りにおいて、種々の変更が可能である。例えば、上記実施形態では、個包装２の着色部１５は、包装シート１０に色が施されることで形成されているが、体液吸収用当て材３の最外層のシートとなるバックシート５に色を施すことで着色部１５を形成してもよい。そして、この体液吸収用当て材３を無色透明の包装シート１０とともに折り畳むことで、個包装２を形成してもよい。
【００４９】
また、上記実施形態では、個包装２はパッケージ４内にそのままの状態で収納されているが、複数の個包装２を、複数の小パッケージ（図示せず）内に小分けに収納した状態で、パッケージ４内に収納してもよい。なお、この場合には、上述した色差ΔＥは、パッケージ４の外面の少なくとも一面における背景領域１３のうち、少なくとも最も面積の大きい主背景領域１３Ａに施された色（単独色）と、パッケージ４の主背景領域１３Ａの単独色に個包装２の一部の着色部１５の色及び小パッケージ（図示せず）に施された色とが重なった状態の色（重複色）とのＣＩＥ色差式による色差で定義され、当該色差ΔＥが、６．００以下、好ましくは４．００以下、さらに好ましくは２．００以下となるように構成される。
【００５０】
また、上記実施形態では、パッケージ４の外形が直方体形状であるが、立方体形状など、その他の形状であってもよい。なお、パッケージ４の外形が立方体形状の場合は、商品が陳列される際に正面を向けられる面及びその反対面がパッケージ４の主面となる。
【符号の説明】
【００５１】
１    包装体
２    個別包装体
３    体液吸収用当て材
４    パッケージ
１０  包装シート
１３  背景領域
１３Ａ  主背景領域
１４Ａ，１４Ｂ  折り山部
１５  着色部
４０  正面
【図１】
0006775913.tif 000002
【図２】
0006775913.tif 000003
【図３】
0006775913.tif 000004
【図４】
0006775913.tif 000005
【図５】
0006775913.tif 000006
【図６】
0006775913.tif 000007
【図７】
0006775913.tif 000008
【図８】
0006775913.tif 000009
【図９】
0006775913.tif 000010
【図１０】
0006775913.tif 000011
【図１１】
0006775913.tif 000012